(57)【要約】【課題】医療機関で受診した結果等の医療データを、外部への情報漏洩の危険性を伴うことなく、受診者が自宅等において使用する情報機器により閲覧するための、医療情報提供システム、医療情報処理サービスシステム及びこれらを用いた医療情報システムを提供すること。【解決手段】医療情報は受信者が携行する記憶媒体１７に記録されており、受診者は、この記憶媒体１７に記録された医療情報を自身が使用する情報機器２１に表示させるためのプログラム３６をインターネット１４経由で提供を受けるだけである。したがって、インターネット経由で医療情報を保持したデータベースがハッキングされたり、通信途中で外部に個人の医療情報が漏洩することがなく、医療情報に対する高いセキュリティを保つことができる。【選択図】  図１
2004265039.tif 000002
【特許請求の範囲】
【請求項１】
医療機関において受診者の医療情報を前記受診者が携行するカード状の記憶媒体に記憶させ、受診者の使用する専用の情報機器とインターネットを介して接続可能なサービスプロバイダに前記カード状の記憶媒体に記憶された医療情報を前記情報機器に表示させるための情報プログラムを保持するプログラムデータベースを設け、前記受診者が使用する情報機器からの要求に対し、前記プログラムデータベースから該当する情報プログラムを抽出しインターネットを介して要求元の情報機器に送信することを特徴とする医療情報処理サービスシステム。
【請求項２】
医療機関に設けられ、受診者に対する医療情報を保持する医療情報データベースと、
前記受診者が携行するカード状の記憶媒体に対し、前記医療情報データベースに保持された受診者に関する医療情報を記憶させる医療情報記録手段と、
前記受診者の使用する情報機器とインターネットを介して接続可能なサービスプロバイダに設けられ、受診者が医療機関において前記記憶媒体に記録された医療情報を、受診者が使用する情報機器に表示させるための情報プログラムを保持するプログラムデータベースと、
前記受診者が使用する情報機器からの要求に対し、前記プログラムデータベースから該当する情報プログラムを抽出しインターネットを介して要求元の情報機器に送信するサーバと、
を備えたことを特徴とする医療情報システム。
【請求項３】
カード状の記録媒体が、健康保険証もしくは診察券を兼ねていることを特徴をする請求項１に記載の医療情報処理サービスシステム。
【請求項４】
記憶媒体に記録された医療情報は時系列な検査値であり、
プログラムデータベースは、時系列な値から将来傾向を予測する予測処理プログラムを有し、
サーバは、受診者が使用する情報機器からの要求により上記予測処理プログラムをインターネットを介して要求元の情報機器に送信する
ことを特徴とする請求項２に記載の医療情報システム。
【請求項５】
プログラムデータベースは、記録媒体に記録された医療情報を基に受診者に対するアドバイスを作成する指導プログラムを有し、
サーバは、受診者が使用する情報機器からの要求により上記予測処理プログラムをインターネットを介して要求元の情報機器に送信する
ことを特徴とする請求項２に記載の医療情報システム。
【請求項６】
サービスプロバイダは、医療機関の情報機器ともインターネットを介して接続され、
プログラムデータベースは、受診者が診療予約を行うための診療予約プログラムと、医療機関の情報機器が予約状況を確認するための予約確認プログラムとを有し、
サーバは、受診者または医療機関からの要求により、診療予約プログラムまたは予約確認プログラムを要求元の情報機器にインターネットを介して送信する
ことを特徴とする請求項２に記載の医療情報システム。
【請求項７】
診療予約プログラムは、カード状の記憶媒体に記録されている受診者の個人情報を用いて予約を行う
ことを特徴とする請求項６に記載の医療情報システム。
【発明の詳細な説明】
【０００１】
【発明の属する技術分野】
本発明は、医療機関から提供された受診者に関する医療情報を、受診者の自宅等において受診者が使用する情報機器に表示させるための、医療情報処理サービスシステム及び医療情報システムに関する。
【０００２】
【従来の技術】
近年、インターネット技術の普及に伴い、各種分野での情報提供手法に用いられている。医療分野においても、受診者の医療情報を、医療機関からインターネットを介して提供を受けるシステムが提案されている（例えば、特許文献１参照）。
【０００３】
このようなシステムでは、医療機関側に設けられたサーバのデータベースで受診者の医療に関する個人情報を管理し、受診者が自宅などにおいて使用する情報機器からの要求により、受診者の医療情報をインターネットを介して受診者の情報機器に送信している。
【０００４】
このようにＷｅｂアプリケーションで個人情報を取り扱う場合、個人情報が外部に漏洩しないようにサーバ自身のセキュリティを強化すると共に、受診者に送付されるデータを、ＳＳＬ（Ｓｅｃｕｒｅ  Ｓｏｃｋｅｔｓ  Ｌａｙｅｒ）等の暗号化技術や認証技術を用いて、情報の漏洩を防止していた。
【０００５】
【特許文献１】
特開２００２−２０３０４９号公報
【０００６】
【発明が解決しようとする課題】
しかしながら、上述のように、Ｗｅｂサーバで管理されているデータは、ハッカーからのハッキングの危険に常にさらされている。また、インターネットを流れるデータは、暗号化されていてもスニファリングされることがあり、漏洩の危険性は皆無ではない。
【０００７】
本発明の目的は、医療機関で受診した結果等の医療データを、外部への情報漏洩の危険性を伴うことなく、受診者が自宅等において使用する情報機器により閲覧するための、医療情報処理サービスシステム及び医療情報システムを提供することにある。
【０００８】
【課題を解決するための手段】
本発明による医療情報処理サービスシステムは、医療機関において受診者の医療情報を前記受診者が携行するカード状の記憶媒体に記憶させ、受診者の使用する専用の情報機器とインターネットを介して接続可能なサービスプロバイダに前記カード状の記憶媒体に記憶された医療情報を前記情報機器に表示させるための情報プログラムを保持するプログラムデータベースを設け、前記受診者が使用する情報機器からの要求に対し、前記プログラムデータベースから該当する情報プログラムを抽出しインターネットを介して要求元の情報機器に送信することを特徴とする。
【０００９】
また、本発明による医療情報システムは、医療機関に設けられ、受診者に対する医療情報を保持する医療情報データベースと、前記受診者が携行するカード状の記憶媒体に対し、前記医療情報データベースに保持された受診者に関する医療情報を記憶させる医療情報記録手段と、前記受診者の使用する情報機器とインターネットを介して接続されたサービスプロバイダに設けられ、受診者が医療機関において前記記憶媒体に記録された医療情報を、受診者が使用する情報機器に表示させるための情報プログラムを保持するプログラムデータベースと、前記受診者が使用する情報機器からの要求に対し、前記プログラムデータベースから該当する情報プログラムを抽出しインターネットを介して要求元の情報機器に送信するサーバとを備えたことを特徴とする。
【００１０】
前記医療情報提供システムでは、カード状の記録媒体が、健康保険証もしくは医療機関に対する診察券を兼ねているものを用いるとよい。
【００１１】
また、前記医療情報システムは、記憶媒体に記録された医療情報は時系列な検査値であり、プログラムデータベースは、時系列な値から将来傾向を予測する予測処理プログラムを有し、サーバは、受診者が使用する情報機器からの要求により上記予測処理プログラムをインターネットを介して要求元の情報機器に送信する。
【００１２】
また、前記医療情報システムでは、プログラムデータベースは、記録媒体に記録された医療情報に基づき受診者に対するアドバイスを作成する指導プログラムを有し、サーバは、受診者が使用する情報機器からの要求により上記予測処理プログラムをインターネットを介して要求元の情報機器に送信する構成でもよい。
【００１３】
さらに、前記医療情報システムでは、サービスプロバイダは、医療機関の情報機器ともインターネットを介して接続され、プログラムデータベースは、受診者が所望の医療機関に対し予約を行うための診療予約プログラムと、医療機関の情報機器が予約状況を確認するための予約確認プログラムとを有し、  サーバは、受診者または医療機関からの要求により、診療予約プログラムまたは予約確認プログラムを要求元の情報機器にインターネットを介して送信する構成としてもよい。
【００１４】
この場合、診療予約プログラムは、カード状の記憶媒体に記録されている受診者の個人情報を用いて予約を行うとよい。
【００１５】
これらの発明では、医療情報は受信者が携行する記憶媒体に記録されており、受診者は、この記憶媒体に記録された医療情報を自身が使用する情報機器に表示させるためのプログラムをインターネット経由で提供を受けるだけである。したがって、インターネット経由で医療情報を保持したデータベースがハッキングされたり、通信途中で外部に個人の医療情報が漏洩することがなく、医療情報に対する高いセキュリティを保つことができる。
【００１６】
【発明の実施の形態】
以下、本発明の一実施の形態を図面を参照して説明する。図１は、この一実施の形態の概要を説明する概念図であり、図２は図１のシステム構成を示すブロック図である。
【００１７】
本発明による医療情報システムは、医療機関１１、ＡＳＰと称されるサービスプロバイダ１２、及び受診者が居住する一般家庭１３の３者間に、インターネット１４を介して構成される。
【００１８】
医療機関１１（図の例では産婦人科医院を例示しており、以下、産婦人科医院として説明を進める）には、医療情報提供システム１６が設けられている。この医療情報提供システム１６は、受診者が携行するカード状の記憶媒体１７に対し、受診者に関する医療情報を医療情報記録手段１８によって記録するシステムである。すなわち、医療機関１１において各種の検査機器１９等から入力された受診者に関する各種の医療情報は、後述する医療情報データベースに保持されると共に前記記憶媒体１７に記録される。
【００１９】
カード状の記録媒体１７は、受診者が医療機関１１に携行する健康保険証もしくは診察券（図の例は診察券の場合を示す）を兼ねるもので、例えば、ＩＣカードなどで構成されている。この記憶媒体（以下、ＩＣカードとして説明する）１７には、受診者個人の氏名や住所などの基本的な個人情報が記録されているており、さらに、医療情報を記録する記憶エリアを有する。
【００２０】
サービスプロバイ１２は、一般家庭１３等に設けられた受診者の使用する情報機器２１とインターネット１４を介して接続されているおり、医療情報処理サービスシステム２２を有する。この医療情報サービスシステムは、プログラムデータベース２３とサーバ２４とで構成される。
【００２１】
プログラムデータベース２３は、ガード状の記憶媒体１７に記録された医療情報を、受診者が使用する情報機器２１に表示させるための情報プログラム等を保持する。また、サーバ２４は、受診者が使用する情報機器２１からの要求に対し、プログラムデータベース２３から該当する情報プログラムを抽出し、インターネット１４を介して要求元の情報機器２１に送信する。
【００２２】
受診者の居住する一般家庭１３には、受診者が使用する情報機器２１として汎用のパーソナルコンピュータ（以下、パソコン）が設けられており、インターネット１４を介してサービスプロバイダ１２と接続することにより、ＩＣカード１７に記録された医療情報を、パソコン２１により閲覧することができる。
【００２３】
なお、医療機関１１の図示しない事務処理用コンピュータは、金融機関２６とも接続しており、医療費の引き落とし処理などに用いられる。すなわち、ＩＣカード１７をクレジットカードと連携（子カードの位置づけ）させ、キャッシュレス処理を可能としている。
【００２４】
また、医療機関１１には、図１では図示していないが、予約確認用の情報機器を持っており、この情報機器（図２により後述する）はインターネット１４を介してサービスプロバイダ１２と接続可能に構成されている。
【００２５】
次に、図２を用いて各部の具体的なシステム構成を説明する。
【００２６】
医療機関１１において、医療情報提供システム１６を構成する医療情報記録手段１８は、医療情報受取プログラム２８及び医療情報記録プログラム２９を有する。医療情報受取プログラム２８は、各種の検査機器１９によって検査された検査結果を受取り、その検査結果を医療情報データベース３０に格納する。なお、検査機器１９から直接データ入力されない医療情報は、検査データ入力端末３１を用いて同じく医療情報データベース３０に格納する。
【００２７】
医療情報データベース３０には、受診者個人に関する各種の医療情報３２が格納されている。図には、胎児の医療データ３２ａや妊婦の医療データ３２ｂが例示されている。
【００２８】
３３はカード読取書込器（以下、ＩＣカードＲ／Ｗとして説明する）で、受診者が携行するＩＣカード１７が挿入されることにより、受診者個人の基本情報を読み出し、この基本情報を医療情報記録プログラム２９に伝える。そして、この医療情報記録プログラム２９が、医療情報データベース３０から読み出した該当する受診者に関する医療情報３２をＩＣカード１７に書込む。
【００２９】
また、受診者の受診した際の医療情報データベース３０の医療検査結果デ−タは、事務処理コンピュ−タ４３に伝送され、医療費の計算がなされた後、金融機関２６に計算結果が送信され、受診者の金融口座から引き落とし処理が行われる。
【００３０】
受診者が居住する一般家庭１３には、受診者が用いるパソコン２１と、ＩＣカードＲ／Ｗ３４が設けられている。このＩＣカードＲ／Ｗ３４には、受診者がハンドキャリーで自宅に持ち帰ったＩＣカード１７が装填される。パソコン２１は、インターネット・エクスプローラ等によるＷｅｂブラウザ３５を有し、後述するサービスプロバイダ１２のＷｅｂサーバ２４から受取ったプログラムを実行する。
【００３１】
サービスプロバイダ１２は、前述のように、プログラムデータベース２３とＷｅｂサーバ２４とからなる医療情報処理サービスシステム２２を有する。プログラムデータベース２３は、ＩＣカード１７に記憶された医療情報３２を、受診者が使用するパソコン２１に表示させるための情報プログラム３６を保持する。図では、胎児情報プログラム３６ａ及び妊婦情報プログラム３６ｂが例示されている。
【００３２】
Ｗｅｂサーバ２４は、端末側のブラウザ、この場合は受診者が使用するパソコン２１のブラウザ３５から要求されたプログラムを、プログラムデータベース２３から抽出し、インターネット１４を介して要求元に送信する。図の例では、受診者が使用するパソコン２１には、サービスプロバイダ１２のプログラムデータベース２３から胎児情報プログラム３６ａがダウンロードされている。したがって、パソコン２１は、このダウンロードされた胎児情報プログラム３６ａにより、ＩＣカード１７に記録され、ＩＣカードＲ／Ｗ３４で読取られた胎児の医療情報データ３２ａを表示する。
【００３３】
サービスプロバイダ１２のプログラムデータベース２３には、このほかＩＣカード１７から読み出された医療情報を基に、受診者に対するアドバイス（食事メニューや体操メニュー等）を作成する指導プログラム３７が格納されている。さらに、図示していないが、ＩＣカード１７から読み出された医療情報が時系列な検査値であった場合、この時系列な値から将来傾向を予測する予測処理プログラムを格納している。
【００３４】
また、サービスプロバイダ１２のプログラムデータベース２３には、上述した医療情報関係のプログラムのほかに、医療機関１１に対する予約のための診療予約プログラム３８及び予約確認プログラム３９が格納されている。診療予約プログラム３８は、受診者側のパソコン２１からの要求に基づき、サーバ２４によってインターネット１４を介してパソコン２１にダウンロードされる。サーバ２４は、受診者による予約を受け、その診療予約データを記憶部４０に保持する。予約確認プログラム３９は、医療機関１１からの要求により、サーバ２４から医療機関にダウンロードされる。
【００３５】
このため、医療機関１１には予約管理に用いられる情報機器（以下、パソコン）４１が設けられており、そのブラウザ４２の要求によってサービスプロバイダ１２から予約確認プログラム３９をインターネット１４経由でダウンロードし、医療機関１１に関する診療予約データを表示させる。
【００３６】
ここで、医療機関１１に設けられた予約管理に用いられるパソコン４１はインターネット１４に接続しているが、医療情報データベース３０を管理する医療情報記録手段１８は、医療機関１１内の各検査機器１９や検査データ入力端末３１とは接続しているが、医療機関１１内のイントラネットで完結しており、外部のインターネットには接続していない。したがって、医療情報データベース３０が外部からハッキングされたりすることはない。
【００３７】
次に、動作説明を行う。先ず医療情報をＩＣカード１７への記録及びその閲覧を図３（ａ）（ｂ）のフローチャートによって説明する。
【００３８】
医療機関１１において、検査などの医療行為が実施されると（Ｓ３０１）、検査結果などの医療情報データは、検査機器１９から直接、或いは検査データ入力端末により入力され（Ｓ３０２）、医療情報データベース３０に格納される。受診者のＩＣカード１７をＩＣカードＲ／Ｗ３２に挿入すると（Ｓ３０３）、このＩＣカード１７の個人基本情報が読取られ、医療情報記録プログラム２９によって医療情報データバース３０から該当する受診者に関する医療情報３２が読み出され、ＩＣカード１７に記録される（Ｓ３０４）。
【００３９】
医療情報３２が記録されたＩＣカード１７は、ハンドキャリーによって受診者の居住する一般家庭１３に持ち帰られる。そして、医療情報３２を閲覧する場合は、このＩＣカード１７を、自宅に設けたＩＣカードＲ／Ｗ３７に挿入し（Ｓ３０６）、パソコン２１によりサービスプロバイダ１２を呼び出す。この操作によりパソコン２１には図５で示すような初期画面が表示される。この初期画面のＩＮＤＥＸを用いて、閲覧したい医療情報を指定する。
【００４０】
例えば、胎児情報を閲覧したい場合は、「胎児情報」ボタンをクリックする。この操作によりブラウザ３５から、サービスプロバイダ１２のサーバ２４に要求が行われ、サーバ２４はプログラムデータベース２３から胎児情報プログラム３６ａを抽出して、要求元のパソコン２１に送信し、ダウンロードする（Ｓ３０７）。
【００４１】
パソコン２１はダウンロードされた胎児情報プログラム３６ａを実行し、ＩＣカード１７に記録されている胎児医療情報データ３２ａを、ＩＣカードＲ／Ｗ３４を介して読み込む（Ｓ３０８）。そして、この読み込んだ胎児医療情報データ３２ａをビジュアル化して、例えば、図６で示すように表示する（Ｓ３０９）。
【００４２】
図６は、胎児の「頭の大きさ」のトレンドを、標準値上限及び標準値下限と比較して時系列に表している。もちろん、「足の長さ」「腹まわり」「頭臀長」についても、これらのいずれかを指示することにより、それぞれ時系列にトレンド表示することができる。このように表示された医療情報が時系列データの場合、将来の傾向を予測することが可能であり、予測する場合は、予測要求を行う（Ｓ３１０）。
【００４３】
予測要求が行われた場合は、サービスプロバイダ１２のプログラムデータベース２３に格納されている図示しない予測処理プログラムにより、これまでの時系列な検査値から予測値を求める。この予測手法としては、公知の統計的手法を用いればよい。例えば、現時点までの検査値に基づき回帰直線を算出することにより、将来の検査値の推移を予測する。そして、この予測結果をビジュアル化し表示する（Ｓ３１１）。
【００４４】
また、表示された表示結果からアドバイスを求めたい場合は、アドバイス要求を出す（Ｓ３１２）。アドバイス要求がある場合は、同じくサービスプロバイダ１２のプログラムデータベース２３に格納されている指導プログラム３７により、アドバイスが作成され表示される（Ｓ３１３）。すなわち、指導プログラム３７は、ＩＣカード１７から読み込まれたデータや、Ｓ３１１で予測されたデータに基づいて、食事メニューや体操メニューなどのアドバイスを作成し表示する。
【００４５】
このように、医療機関で受診した結果の医療情報を、自宅において閲覧できると共に、この医療データに基づいて将来の推移や、現状または将来の状況に対してアドバイスが得られるので、受診者に対し的確な健康指導を行うことも可能となる。
【００４６】
上記説明は、胎児情報についてであるが、例えば、図５で示した初期画面において、「妊婦検診情報」ボタンをクリックすると、ブラウザ３５からの要求により、サービスプロバイダ１２のサーバ２４は、プログラムデータベース２３から妊婦情報プログラム３６ｂを抽出して、要求元のパソコン２１にダウンロードする（Ｓ３０７）。
【００４７】
パソコン２１はダウンロードされた妊婦情報プログラム３６ｂにより、ＩＣカード１７から妊婦医療情報データ３２ｂを読み込み（Ｓ３０８）、これをビジュアル化して、例えば、図７で示すように表示する（Ｓ３０９）。
【００４８】
図７は、妊婦の「腹囲」のトレンドを時系列に表している。もちろん、「体重」「子宮底」「血圧」についても、それぞれ時系列にトレンド表示することができる。この場合も、未来の推移を予測したり（Ｓ３１０，Ｓ３１１）、医療データに基づくアドバイスを作成して表示（Ｓ３１２，Ｓ３１３）できることは同じである。
【００４９】
このほか「超音波画像」についても同様であり、そのボタンをクリックすることにより、ＩＣカード１７に記録されていた妊婦の超音波画像データが読み込まれ、パソコン２１に表示される。
【００５０】
ここで、サービスプロバイダ１２から、インターネット１４で一般家庭１３のパソコン２１に提供されるデータは、各種医療データをパソコン２１に表示させるための情報プログラムデータであり、表示される受診者個人の医療情報３２は、受診者が携行するＩＣカード１７に記録されている。したがって、従来のように、受診者個人の医療データがインターネット１４上を流れるときに、第三者によってトラップされることはなく、外部への漏洩を確実に防止できる。また、医療機関１１においても、医療情報３２を格納した医療情報データベース３０は、外部のインターネット１４とは接続されていないため、ハッカーからハッキングされることもなく、セキュリティーが向上する。
【００５１】
次に、一般家庭１３からの診療予約及び医療機関１１での予約確認動作を図４（ａ）（ｂ）により説明する。
【００５２】
一般家庭１３から診療予約を行う場合は、先ず、ＩＣカード１７をＩＣカードＲ／Ｗ３４に挿入する（Ｓ４０１）。次に、パソコン２１を操作し、ブラウザ３５からサービスプロバイダ１２のサーバ２４に、診療予約プログラム３８のダウンロード要求を出す。この操作により診療予約プログラム３８はサーバ２４によりパソコン２１にダウンロードされる（Ｓ４０２）。
【００５３】
次に、ダウンロードされた診療予約プログラム３８は、ＩＣカード１７から受診者個人の基本情報（氏名、住所、年齢等）を読み込む（Ｓ４０３）。受診者がパソコン２１により診療日・時間を指定すると（Ｓ４０４）、この指定された希望日・時間と読み込まれた個人基本情報（患者情報）とは、診療予約データとしてインターネット１４経由でサービスプロバイダ１２のサーバ２４に送信される（Ｓ４０５）。サーバ２４は、送られてきた診療予約情報を記憶部４０に記録する（Ｓ４０６）。
【００５４】
一方、医療機関１１で予約状況を確認する場合は、医療機関１１のパソコン４１を操作し、ブラウザ４２からサービスプロバイダ１２のサーバ２４に対し、予約確認プログラム３９のダウンロード要求を出し、同プログラム３９をパソコン４１にダウンロードする（Ｓ４０７）。そして、このダウンロードされた予約確認プログラム３９により予約データをパソコン４１に表示し、予約状況を確認する（Ｓ４０８）。
【００５５】
上記予約手法によれば、予約者の個人基本情報として、ＩＣカード１７に記録されている情報を読み込むので、予約者は自宅のパソコン２１に、単に希望日・時間を入力すればよく、操作が簡単になり入力誤りなどを防止することができる。
【００５６】
上記実施の形態では、産婦人科医院を例にとり、医療情報も胎児或いは妊婦に関する情報を例にとって説明したが、もちろん他の内科や整形外科などにも適用することができ、取り扱う医療情報も電子的なデータであれば各種の医療情報を取り扱うことができる。
【００５７】
また、上記実施の形態では、医療機関１１とサービスプロバイダ１２とを別組織として説明したが、これに限定されるものではなく、例えば、大規模医療機関では、その計算機部門にサービスプロバイダ１２と同じ機能を持たせてもよい。すなわち、医療機関１１内にサービスプロバイダ１２を設置したシステム構成でもよい。
【００５８】
さらに、記憶媒体１７としてＩＣカードを例示したが、もちろん他の記憶媒体でもかまわない。
【００５９】
また、自宅で使用する情報機器としてパソコンを用いる実施例を説明したが、この情報機器として携帯電話を用い、この携帯電話にＩＣカードＲ／Ｗを接続して、携帯電話回線を用いてサービスプロバイダと接続する構成としてもよい。この場合、自宅外でも医療情報の確認、予約が可能となり利便性をより向上できる。
【００６０】
【発明の効果】
本発明によれば、医療機関で受診した結果等の医療情報を、受診者が携行する記憶媒体に記録し、これをインターネットにより入手した情報プログラムにより自宅等で使用する情報機器に表示させて閲覧することができる。この場合、インターネット上は、医療情報を表示させるためのプログラムを入手するだけであり、個人の医療情報が外部へ漏洩する危険性はなく、個人の医療情報に対するセキュリティが向上する。
【図面の簡単な説明】
【図１】本発明による医療情報システムの一実施の形態を示す概念図である。
【図２】同上一実施の形態を説明するシステムブロック図である。
【図３】同上一実施の形態における医療情報の記録及び閲覧動作を説明するフローチャートである。
【図４】同上一実施の形態における診療予約及び予約確認動作を説明するフローチャートである。
【図５】同上一実施の形態における初期画面図である。
【図６】同上一実施の形態における胎児情報画面図である。
【図７】同上一実施の形態における妊婦情報画面図である。
【符号の説明】
１１    医療機関
１２    サービスプロバイダ
１３    一般家庭
１４    インターネット
１６    医療情報提供システム
１７    記憶媒体
１８    医療情報記録手段
１９    検査機器
２１    受診者が使用する情報機器
２２    医療情報処理サービスシステム
２３    プログラムデータベース
２４    サーバ
３０    医療情報データベース
３２    医療情報
３６    情報プログラム
３７    指導プログラム
３８    診療予約プログラム
３９    予約確認プログラム
４１    医療機関の予約に用いられる情報機器
【図１】
2004265039.tif 000003
【図２】
2004265039.tif 000004
【図３】
2004265039.tif 000005
【図４】
2004265039.tif 000006
【図５】
2004265039.tif 000007
【図６】
2004265039.tif 000008
【図７】
2004265039.tif 000009
【手続補正書】
【提出日】平成15年6月2日(2003.6.2)
【手続補正１】
【補正対象書類名】明細書
【補正対象項目名】特許請求の範囲
【補正方法】変更
【補正の内容】
【特許請求の範囲】
【請求項１】
医療機関において受診者の医療情報を前記受診者が携行するカード状の記憶媒体に記憶させ、受診者の使用する専用の情報機器と通信回線を介して接続可能なサービスプロバイダに前記カード状の記憶媒体に記憶された医療情報を前記情報機器に表示させるための情報プログラムを保持するプログラムデータベースを設け、前記受診者が使用する情報機器からの要求に対し、前記プログラムデータベースから該当する情報プログラムを抽出し通信回線を介して要求元の情報機器に送信することを特徴とする医療情報処理サービスシステム。
【請求項２】
医療機関に設けられ、受診者に対する医療情報を保持する医療情報データベースと、
前記受診者が携行するカード状の記憶媒体に対し、前記医療情報データベースに保持された受診者に関する医療情報を記憶させる医療情報記録手段と、
前記受診者の使用する情報機器と通信回線を介して接続可能なサービスプロバイダに設けられ、受診者が医療機関において前記記憶媒体に記録された医療情報を、受診者が使用する情報機器に表示させるための情報プログラムを保持するプログラムデータベースと、
前記受診者が使用する情報機器からの要求に対し、前記プログラムデータベースから該当する情報プログラムを抽出し通信回線を介して要求元の情報機器に送信するサーバと、
を備えたことを特徴とする医療情報システム。
【請求項３】
カード状の記録媒体が、健康保険証もしくは診察券を兼ねていることを特徴をする請求項１に記載の医療情報処理サービスシステム。
【請求項４】
記憶媒体に記録された医療情報は時系列な検査値であり、
プログラムデータベースは、時系列な値から将来傾向を予測する予測処理プログラムを有し、
サーバは、受診者が使用する情報機器からの要求により上記予測処理プログラムを通信回線を介して要求元の情報機器に送信する
ことを特徴とする請求項２に記載の医療情報システム。
【請求項５】
プログラムデータベースは、記録媒体に記録された医療情報を基に受診者に対するアドバイスを作成する指導プログラムを有し、
サーバは、受診者が使用する情報機器からの要求により上記予測処理プログラムを通信回線を介して要求元の情報機器に送信する
ことを特徴とする請求項２に記載の医療情報システム。
【請求項６】
サービスプロバイダは、医療機関の情報機器とも通信回線を介して接続され、
プログラムデータベースは、受診者が診療予約を行うための診療予約プログラムと、医療機関の情報機器が予約状況を確認するための予約確認プログラムとを有し、
サーバは、受診者または医療機関からの要求により、診療予約プログラムまたは予約確認プログラムを要求元の情報機器に通信回線を介して送信する
ことを特徴とする請求項２に記載の医療情報システム。
【請求項７】
診療予約プログラムは、カード状の記憶媒体に記録されている受診者の個人情報を用いて予約を行う
ことを特徴とする請求項６に記載の医療情報システム。
【手続補正２】
【補正対象書類名】明細書
【補正対象項目名】０００８
【補正方法】変更
【補正の内容】
【０００８】
【課題を解決するための手段】
本発明による医療情報処理サービスシステムは、医療機関において受診者の医療情報を前記受診者が携行するカード状の記憶媒体に記憶させ、受診者の使用する専用の情報機器と通信回線を介して接続可能なサービスプロバイダに前記カード状の記憶媒体に記憶された医療情報を前記情報機器に表示させるための情報プログラムを保持するプログラムデータベースを設け、前記受診者が使用する情報機器からの要求に対し、前記プログラムデータベースから該当する情報プログラムを抽出し通信回線を介して要求元の情報機器に送信することを特徴とする。  本発明による診療方法は、医療機関での受診に必要となる受診者の情報が登録され、情報の読み取り書き込みが電子的に可能なカードによる受診者カ−ドが用いられ、診療施設側コンピュータシステムにより、受診者が有する前記カードに登録された情報を読み出すとともに、受診者への診療内容に対応した医療事務処理を行なう段階と、前記カードに登録された受診者に関する情報毎にレセプトを作成し、その受診者の個人負担金の情報を出力する段階とを有することを特徴とする。


【手続補正３】
【補正対象書類名】明細書
【補正対象項目名】０００９
【補正方法】変更
【補正の内容】
【０００９】
また、本発明による医療情報システムは、医療機関に設けられ、受診者に対する医療情報を保持する医療情報データベースと、前記受診者が携行するカード状の記憶媒体に対し、前記医療情報データベースに保持された受診者に関する医療情報を記憶させる医療情報記録手段と、前記受診者の使用する情報機器と通信回線を介して接続されたサービスプロバイダに設けられ、受診者が医療機関において前記記憶媒体に記録された医療情報を、受診者が使用する情報機器に表示させるための情報プログラムを保持するプログラムデータベースと、前記受診者が使用する情報機器からの要求に対し、前記プログラムデータベースから該当する情報プログラムを抽出し通信回線を介して要求元の情報機器に送信するサーバとを備えたことを特徴とする。


【手続補正４】
【補正対象書類名】明細書
【補正対象項目名】００１１
【補正方法】変更
【補正の内容】
【００１１】
また、前記医療情報システムは、記憶媒体に記録された医療情報は時系列な検査値であり、プログラムデータベースは、時系列な値から将来傾向を予測する予測処理プログラムを有し、サーバは、受診者が使用する情報機器からの要求により上記予測処理プログラムを通信回線を介して要求元の情報機器に送信する。


【手続補正５】
【補正対象書類名】明細書
【補正対象項目名】００１２
【補正方法】変更
【補正の内容】
【００１２】
また、前記医療情報システムでは、プログラムデータベースは、記録媒体に記録された医療情報に基づき受診者に対するアドバイスを作成する指導プログラムを有し、サーバは、受診者が使用する情報機器からの要求により上記予測処理プログラムを通信回線を介して要求元の情報機器に送信する構成でもよい。


【手続補正６】
【補正対象書類名】明細書
【補正対象項目名】００１３
【補正方法】変更
【補正の内容】
【００１３】
さらに、前記医療情報システムでは、サービスプロバイダは、医療機関の情報機器とも通信回線を介して接続され、プログラムデータベースは、受診者が所望の医療機関に対し予約を行うための診療予約プログラムと、医療機関の情報機器が予約状況を確認するための予約確認プログラムとを有し、  サーバは、受診者または医療機関からの要求により、診療予約プログラムまたは予約確認プログラムを要求元の情報機器に通信回線を介して送信する構成としてもよい。


【手続補正７】
【補正対象書類名】明細書
【補正対象項目名】００１５
【補正方法】変更
【補正の内容】
【００１５】
これらの発明では、医療情報は受信者が携行する記憶媒体に記録されており、受診者は、この記憶媒体に記録された医療情報を自身が使用する情報機器に表示させるためのプログラムを通信回線経由で提供を受けるだけである。したがって、通信回線経由で医療情報を保持したデータベースがハッキングされたり、通信途中で外部に個人の医療情報が漏洩することがなく、医療情報に対する高いセキュリティを保つことができる。